(57)【要約】  【課題】筆ペン等の筆記具、或いは化粧用具等、インクや化粧液等の塗布液を塗布するための塗布具に関し、毛先の割れを生じるおそれがなく、且つ毛先の部分への塗布液の誘導を確実に行うことができ、塗布液を良好な状態で塗布することができる塗布具を提供することを課題とする。  【解決手段】塗布液を含浸可能で、該塗布液を塗布媒体に塗布可能な毛先３を有する塗布具において、前記毛先の外周面側から該毛先に塗布液を誘導することができる塗布液誘導部材４が具備されていることを特徴とする塗布具を提供する。【選択図】  図１
2010052383.tif 000002
【特許請求の範囲】
【請求項１】
塗布液を含浸可能で、該塗布液を塗布媒体に塗布可能な毛先（３）を有する塗布具において、前記毛先（３）の外周面側から該毛先（３）に塗布液を誘導することができる塗布液誘導部材（４）が具備されていることを特徴とする塗布具。
【請求項２】
塗布液誘導部材（４）に、毛先（３）を挿入するための挿入孔（１３）が形成されている請求項１記載の塗布具。
【請求項３】
塗布液誘導部材（４）の挿入孔（１３）が、毛先（３）の先端部（３ａ）を突出させる先端側の開口部（１３ａ）と、該毛先（３）の後端部（３ｂ）が塗布液と接触しうるように開口して形成された後端側の開口部（１３ｂ）とに貫通して形成されている請求項２記載の塗布具。
【請求項４】
挿入孔（１３）の後端側の開口部（１３ｂ）より幅広に形成されて、塗布液誘導部材（４）の後端部（４ｂ）側に係止可能となるように、毛先（３）の後端部（３ｂ）側にストッパー（１６）が形成されている請求項３記載の塗布具。
【請求項５】
挿入孔（１３）側へ毛細管現象によって塗布液を誘導しうるような塗布液誘導用孔（１７）が、前記挿入孔（１３）に連通して塗布液誘導部材（４）に形成されている請求項２乃至４のいずれかに記載の塗布具。
【請求項６】
塗布液誘導用孔（１７）が、挿入孔（１３）を中心として該挿入孔（１３）から外側に向かって放射状に形成された複数の細孔によって構成されている請求項５記載の塗布具。
【請求項７】
塗布液誘導部材（４）が、合成樹脂製成形体で構成されている請求項５又は６記載の塗布具。
【請求項８】
塗布液誘導部材（４）が、焼結樹脂、発泡性合成樹脂、セラミックの発泡体、発泡金属、焼結金属多孔質体、又は合成繊維をバインダーで結合させた素材で構成されている請求項１記載の塗布具。
【請求項９】
塗布液誘導部材（４）の挿入孔（１３）の内周面が、先端側に向かって幅狭なテーパ状に形成されている請求項２乃至８のいずれかに記載の塗布具。
【請求項１０】
挿入孔（１３）が、後端側の開口部を有しない凹状のものである請求項２記載の塗布具。
【請求項１１】
毛先（３）が、塗布液誘導部材（４）の挿入孔（１３）の内周面に面接触状態となるように挿入されている請求項２乃至１０のいずれかに記載の塗布具。
【発明の詳細な説明】
【技術分野】
【０００１】
本発明は、筆ペン等の筆記具、或いは化粧用具等、インクや化粧液等の塗布液を塗布するための塗布具に関する。
【背景技術】
【０００２】
周知のように、筆ペン等の筆記具、化粧用具等、インクや化粧液等の塗布液を塗布媒体に塗布する塗布具として、従来から種々のものが用いられている。筆記具においては、紙が塗布媒体とされ、化粧用具においては、顔の目の周辺部等が塗布媒体となる。
【０００３】
たとえば筆ペンは、軸筒内にインク貯留部を備え、中継芯と称されるインク誘導部分を介して毛先にインクを供給しうるように構成されたもので、本筆のように硯や墨を用いる煩雑さがなく手軽に使用できることから、たとえば一般の書簡の宛名書き等、書道以外の用途において、本筆の代替用としてすでに実用化されている。
【０００４】
このような筆ペンは、毛先に供給されたインクによって直接紙等の筆記媒体に筆記できるようにしなければならない、いわゆるインク自給式の筆である点で、硯や墨を用いる本筆とは異なるものであるが、軸筒の先端に、毛状体を束ねて形成した毛先を取り付けられているという筆記具としての基本的構成は、本筆と共通する。
【０００５】
筆ペンは、上述のようなインク自給式の筆であるので、上記のように、毛先にインク等の塗布液を供給するための中継芯と称される誘導部分を設ける必要がある。筆ペン等の塗布具に関する出願として、たとえば下記特許文献１乃至３に示すような出願がなされているが、これらはいずれも中継芯を備えた構造とされたものである。
【０００６】
しかし、このような中継芯は、軸筒内にインク貯留部と毛先とに跨がるように設けられるので、この中継芯を挿通させるための孔を毛先に穿設しなければならないこととなる。そのような孔を毛先に穿設する場合、毛先に割れを生じるおそれがあった。
【０００７】
【特許文献１】特開平６−２３９０９０号公報
【特許文献２】実開平７−３５０８４号公報
【特許文献３】実開平５−５８３５７号公報
【発明の開示】
【発明が解決しようとする課題】
【０００８】
本発明は、このような問題点を解決するためになされたもので、上記のような毛先の割れを生じるおそれがなく、且つ毛先の部分への塗布液の誘導を確実に行うことができ、塗布液を良好な状態で塗布することができる塗布具を提供することを課題とする。また本発明の他の課題は、これらの機能を維持しつつ、毛先を細くすることを可能とすることである。
【課題を解決するための手段】
【０００９】
本発明は、このような課題を解決するためになされたもので、塗布液を含浸可能で、該塗布液を塗布媒体に塗布可能な毛先３を有する塗布具において、前記毛先の外周面側から該毛先に塗布液を誘導することができる塗布液誘導部材４が具備されていることを特徴とする塗布具を提供するものである。
【００１０】
塗布液誘導部材４には、好ましくは、毛先３を挿入するための挿入孔１３が形成される。塗布液誘導部材４の挿入孔１３は、好ましくは、毛先３の先端部３ａを突出させる先端側の開口部１３ａと、該毛先３の後端部３ｂが塗布液と接触しうるように開口して形成された後端側の開口部１３ｂとに貫通して形成される。また、毛先３の後端部３ｂ側には、好ましくは、塗布液誘導部材４の後端面側に係止可能となるように、該塗布液誘導部材４の後端部４ｂ側の開口部１３ｂより幅広なストッパー１６が形成される。
【００１１】
さらに、塗布液誘導部材４には、好ましくは、挿入孔１３側へ毛細管現象によって塗布液を誘導しうるような塗布液誘導用孔１７が、前記挿入孔１３に連通して形成される。この塗布液誘導用孔１７は、たとえば、挿入孔１３を中心として該挿入孔１３から外側に向かって放射状に形成された複数の細孔によって構成される。このような挿入孔１３に塗布液誘導用孔１７が連通して形成された塗布液誘導部材４は、たとえば合成樹脂製成形体で構成される。
【００１２】
また、塗布液誘導部材４は、焼結樹脂、発泡性合成樹脂、セラミックの発泡体、発泡金属、焼結金属多孔質体、又は合成繊維をバインダーで結合させた素材で構成することも可能である。さらに、塗布液誘導部材４の挿入孔１３の内周面は、好ましくは、先端側に向かって幅狭なテーパ状に形成される。また、挿入孔１３は、上記のように貫通して形成される場合の他、後端側の開口部を有しない凹状のものとして形成することも可能である。毛先３は、好ましくは、塗布液誘導部材４の挿入孔１３の内周面に面接触状態となるように挿入される。
【発明の効果】
【００１３】
本発明は、上述のように、塗布液を含浸可能で、該塗布液を塗布媒体に塗布可能な毛先を有する塗布具において、前記毛先の外周面側から該毛先に塗布液を誘導可能な塗布液誘導部材が具備されているものであるため、塗布液は、その塗布液誘導部材によって周辺部側から毛先に塗布液を供給することができ、従って、従来の塗布具のような中継芯を設けることが不要となり、その結果、このような中継芯を設けることによって生じるおそれがあった毛先の不用意な割れ等を確実に防止することができるという効果がある。
【００１４】
また、塗布液誘導部材が外周面側から毛先に塗布液を供給することができるように構成されているので、中継芯が設けられていた従来の構造のものに比べて、塗布液誘導部材と毛先との接触面積を大きくとることができ、また毛先への塗布液の移動距離も構造上短くすることができ、毛先の部分への塗布液の誘導を確実に行うことができ、塗布液の塗布が不良となることがないという効果がある。
【００１５】
さらに、塗布液誘導部材が周辺部側から毛先に塗布液を供給することができるように構成されて、従来のような中継芯が不要となるので、毛先を従来に比べて細く形成することができ、たとえば面相筆のように毛先の長い形式の書き味の筆記具であって、実際の面相筆に比べて毛先が短く細い筆ペンのような筆記具を提供することが可能となる。
【００１６】
さらに、塗布液誘導部材に、毛先を挿入するための挿入孔を形成し、その挿入孔側へ毛細管現象によって塗布液を誘導しうるような塗布液誘導用孔を、前記挿入孔に連通して形成した場合には、塗布液が、塗布液誘導部材の塗布液誘導用孔において毛細管現象によって誘導され、さらにその塗布液誘導用孔から挿入孔に誘導されることとなり、その結果、毛細管現象によって塗布液誘導用孔を誘導されてきた塗布液が、挿入孔内に挿入された毛先に含浸されることとなる。従って、塗布液誘導部材から毛先側への塗布液の誘導が確実に行われるという効果がある。
【００１７】
また、塗布液誘導用孔を、挿入孔を中心として該挿入孔から外側に向かって放射状に形成された複数の細孔によって構成した場合には、毛細管現象をより好適に発揮させることができるという効果がある。
【００１８】
さらに、このような挿入孔に塗布液誘導用孔が連通して形成された塗布液誘導部材を、合成樹脂製成形体で構成した場合には、塗布液誘導用孔が、毛細管現象を生じさせるような複雑な形状のものであっても、塗布液誘導部材の製造を容易に行うことができる。
【００１９】
さらに、挿入孔を、毛先を突出させる先端側の開口部と、該毛先が塗布液と接触しうるように開口して形成された後端側の開口部とに貫通して形成し、その毛先の後端部側に、塗布液誘導部材の後端面側に係止可能となるように、該塗布液誘導部材の後端側の開口部より幅広な係止部を形成した場合には、挿入孔からの毛先の抜け出しを好適に防止することができるという効果がある。
【００２０】
さらに、挿入孔の内周面を、先端側に向かって幅狭なテーパ状に形成した場合には、塗布液誘導部材と毛先との密着性がより良好となる効果がある。
【発明を実施するための最良の形態】
【００２１】
以下、本発明の実施形態について、図面に従って説明する。
本発明の塗布具は、上述のように、塗布液を含浸可能で、該塗布液を塗布媒体に塗布可能な毛先を有する塗布具において、前記毛先の周辺部側から該毛先に塗布液を誘導可能な塗布液誘導部材が具備された構成からなるものである。
【００２２】
毛先の材質は特に限定されるものではなく、たとえばポリエチレンテレフタレートやポリブチレンテレフタレート等のポリエステル繊維、ポリアミド繊維等の合成繊維が用いられる。
【００２３】
また、塗布液誘導部材の材質も特に限定されるものではなく、たとえば合成繊維を集合させ、バインダーで結合させたもの、連続気泡を有する発泡性合成樹脂、焼結樹脂等を用いることができる。さらに、セラミックの発泡体、発泡金属、焼結金属多孔質体等を使用することもできる。また、合成樹脂製の成形体のようなものを用いることもできる。
【００２４】
さらに、塗布液誘導部材への毛先の取り付けは、たとえば塗布液誘導部材に挿入孔を形成し、その挿入孔に毛先を挿入することによって行う。塗布液誘導部材の挿入孔は、たとえば、毛先を突出させる先端側の開口部と、毛先が塗布液と接触しうるように開口して形成された後端側の開口部とに貫通して形成された挿入孔のような形態とされる。或いは、このような挿入孔の他に、後端側の開口部を有しない凹状のものとして形成することも可能である。これらの場合において、毛先は、塗布液誘導部材の挿入孔の内周面に面接触状態となるように挿入されるのが望ましい。このように面接触状態となることによって、塗布液誘導部材に含浸、保持された塗布液は、面接触状態とされた毛先の周辺部側から、毛先に供給されることとなる。
【００２５】
また、毛先の後端部側には、たとえば、塗布液誘導部材の後端部側に係止可能となるように、該塗布液誘導部材の後端部側の開口部より幅広な係止部が形成される。この係止部としては、たとえば鍔状に突出させて形成したもの、或いは毛先の後端部側を熱融解することによって形成したもの、さらには、毛先の後端部側に接着剤を含浸させることによって形成したもの等が用いられる。
【００２６】
さらに、塗布液誘導部材には、挿入孔側へ毛細管現象によって塗布液を誘導しうるような塗布液誘導用孔を、前記挿入孔に連通して形成することができる。このような塗布液誘導用孔を形成することにより、塗布液は、塗布液誘導部材の塗布液誘導用孔を毛細管現象によって誘導され、さらにその塗布液誘導用孔から挿入孔に誘導されることとなり、その結果、毛細管現象によって塗布液誘導用孔を誘導されてきた塗布液が、挿入孔内に差し込まれた毛先に含浸されることとなる。このような塗布液誘導用孔は、たとえば、挿入孔を中心として該挿入孔から外側に向かって放射状に形成された複数の細孔によって構成される。このような挿入孔に塗布液誘導用孔が連通して形成された塗布液誘導部材は、成形を容易に行うために、合成樹脂製成形体で構成されることが望ましい。
【００２７】
さらに、塗布液誘導部材の挿入孔の内周面は、先端側に向かって幅狭なテーパ状に形成することが可能である。このように塗布液誘導部材の挿入孔の内周面をテーパ状に形成することによって、もともと外周面がテーパ状となるように形成されている毛先との密着性がより良好となる。
【００２８】
塗布具の本体部分は、たとえば塗布液を貯留する塗布液貯留部を軸筒内に設けたような構成とすることが可能である。
【００２９】
以下に、本発明の塗布具のより具体的な構成を説明する。
【００３０】
（実施形態１）
本実施形態の塗布具は、図１に示すように、塗布液貯留部２を備えた軸筒１と、該軸筒１の先端側に設けられた毛先３と、前記塗布液貯留部２側から前記毛先３側に塗布液を誘導する塗布液誘導部材４とを具備して構成されている。
【００３１】
軸筒１は、その全体が略円柱状に形成され、該軸筒１の先端部１ａ側の内周面６は、塗布液誘導部材４の外周面と接触しうるように形成されている。また、塗布液誘導部材４は全体が略円柱状に形成されている。
【００３２】
塗布液誘導部材４には、前記毛先３を挿入可能な挿入孔１３が形成されている。この挿入孔１３は、図１に示すように、塗布液誘導部材４の先端側の開口部１３ａから後端側の開口部１３ｂに向かって貫通するような貫通孔として形成されている。このような貫通孔とされることで、毛先３の先端部３ａが前記塗布液誘導部材４の先端側の開口部１３ａから突出し、毛先３の後端部３ｂが塗布液誘導部材４の後端側の開口部１３ｂとほぼ同面上に位置するように、毛先３が挿入孔１３に挿入されている。
【００３３】
塗布液誘導部材４の後端部４ｂ側は、軸筒１内の塗布液貯留部２に臨出され、塗布液貯留部２内の塗布液１０に塗布液誘導部材４が接触した状態とされている。また塗布液誘導部材４の先端部４ａ側は、挿入孔１３内に毛先３を挿入させた状態で軸筒１の外部に突出されるように、前記塗布液誘導部材４が軸筒１の先端部１ａ側に挿入されている。
【００３４】
さらに、塗布液誘導部材４は、本実施形態では、合成樹脂を成形した合成樹脂成形体によって構成されている。合成樹脂としては、たとえばフッ素系樹脂、アクリル系樹脂、ポリアセタール樹脂、その他の種々の合成樹脂を使用することができる。
【００３５】
さらに、本実施形態では、図２に示すように、断面円形の挿入孔１３の周囲に連通して塗布液誘導用孔１７が形成されている。この塗布液誘導用孔１７は、塗布液を挿入孔１３側へ毛細管現象によって誘導するためのもので、前記挿入孔１３を中心として該挿入孔１３から外側に向かって放射状に形成された複数のスリット状の細孔によって構成されている。そして、挿入孔１３及び塗布液誘導用孔１７は、塗布液誘導部材４の先端側の開口部１３ａから後端側の開口部１３ｂにかけて連続的に形成され、その連続的に形成された挿入孔１３及び塗布液誘導用孔１７は、先端側の開口部１３ａから後端側の開口部１３ｂに至る塗布液誘導部材４のすべての断面において同一形状に形成されている。尚、図２においては、挿入孔１３を明確に図示するための便宜上、毛先３の図示を省略している。
【００３６】
軸筒１の後端部１ｂ側には小孔８が穿設され、その小孔８によって塗布液貯留部２の後部側の一部に空気が流入されて、該塗布液貯留部２の塗布液１０の背圧が調整されることとなる。
【００３７】
そして、このような構成からなる塗布具を使用する場合には、毛先３を塗布媒体（たとえば筆記具の場合は紙等）に向けて接触させ、塗布液を塗布媒体に塗布する。この場合において、塗布液貯留部２に貯留されている塗布液１０は、塗布液誘導部材４と接触しており、その塗布液誘導部材４が毛先３に接触しているので、塗布液は、塗布液誘導部材４から毛先３に誘導されて毛先３から塗布媒体に塗布されることとなる。
【００３８】
この点をより詳細に説明すると、塗布液誘導部材４の挿入孔１３の周囲に、上記のように塗布液を挿入孔１３側へ毛細管現象によって誘導するための塗布液誘導用孔１７が前記挿入孔１３に連通して形成されており、また、このような挿入孔１３及び塗布液誘導用孔１７は、先端側の開口部１３ａから後端側の開口部１３ｂに至る塗布液誘導部材４のすべての断面において同一形状に形成されているため、塗布液誘導部材４の後端部４ｂが、塗布液貯留部２内の塗布液と接触している状態において、塗布液は、前記塗布液誘導部材４の後端部４ｂにおける塗布液誘導用孔１７の部分から、該塗布液誘導部材４の先端部４ａ側に向かって、毛細管現象によって、連続的に形成された塗布液誘導用孔１７内を移動することになる。
【００３９】
このように、塗布液は、毛細管現象によって、塗布液誘導部材４の後端部４ｂ側から先端部４ａ側に向かって塗布液誘導用孔１７内で誘導され、さらに塗布液誘導用孔１７に連通する挿入孔１３側へ誘導されることになる。
【００４０】
この結果、塗布液は、挿入孔１３内に挿入された毛先３の外側である塗布液誘導用孔１７の部分から、その毛先３の外周面側に誘導されることとなり、誘導された塗布液は、
塗布液誘導部材４側から毛先３側に確実に供給されることとなり、塗布媒体に良好な状態で塗布されることとなる。
【００４１】
このように、本実施形態では、塗布液誘導部材４に、毛先３が挿入される挿入孔１３に連通して、塗布液を毛細管現象によって誘導する塗布液誘導用孔１７を形成したので、毛先３の周辺部側に位置する塗布液誘導用孔１７から、塗布液を毛先３に供給することができ、従って、従来の塗布具に設けられていた中継芯のように、毛先３のほぼ中心部分に装填するような取り付けが不要となり、その結果、毛先３の割れなどを生じさせるようなことがないのである。
【００４２】
尚、本実施形態においては、毛先３の後端部３ｂが、上記のように、塗布液誘導部材４の後端側の開口部１３ｂとほぼ同面上に位置するように、毛先３が挿入孔１３に挿入されているので、その毛先３の後端部３ｂも塗布液貯留部２内の塗布液と接触した状態となっており、従って毛先３の後端部３ｂ側から先端部３ａ側に向かっても、塗布液が誘導されることとなり、塗布液がより確実に毛先３に含浸することとなる。
【００４３】
（実施形態２）
本実施形態は、毛先３を塗布液誘導部材４に固定する手段の１つの実施形態である。本実施形態においては、図３に示すように、毛先３の後端部３ｂ側に、ストッパー１６が形成されている。本実施形態のストッパー１６は、同図のように、鍔状に形成されたものである。
【００４４】
このような鍔状のストッパー１６が、毛先３の後端部３ｂ側に形成されていることによって、そのストッパー１６の部分が塗布液誘導部材４の後端部４ｂに係止されることとなり、それによって、毛先３が塗布液誘導部材４から抜け出るのを好適に防止することができる。
【００４５】
（実施形態３）
本実施形態は、毛先３を塗布液誘導部材４に固定する手段の他の実施形態である。本実施形態においては、ストッパー１６は、たとえば毛先３の後端部３ｂ側を熱融解することによって、或いは毛先３の後端部３ｂ側に接着剤を含浸させることによって形成されている。ストッパー１６の形状は、上記実施形態２のような鍔状ではなく、図４のように略球状に形成されているが、その形状は問うものではない。
【００４６】
本実施形態においても、毛先３の後端部３ｂ側のストッパー１７によって、毛先３が塗布液誘導部材４から抜け出るのを好適に防止することができる。
【００４７】
（実施形態４）
本実施形態においては、図５に示すように、軸筒１の先端部１ａ側の外周面５が、緩やかなテーパ面状に形成されており、この点で軸筒１の先端部１ａ側の外周面５が真っ直ぐに形成されていた上記実施形態１と相違している。
【００４８】
本実施形態においても、上記実施形態１と同様に、軸筒１の先端部１ａ側の内周面６が塗布液誘導部材４の外周面と接触しうるように形成されているが、本実施形態においては、塗布液誘導部材４の後端部４ｂのみならず、塗布液誘導部材４の側面も塗布液に接触するように、塗布液誘導部材４が塗布液貯留部２内に臨出している。
【００４９】
また、本実施形態では、挿入孔１３は、先端部側にのみ開口部１３ａを有する凹状に形成されたものであり、その点で実施形態１のように貫通して形成された挿入孔１３とは相違している。そして、毛先３は、このような凹状の挿入孔１３内に嵌合されている。
【００５０】
さらに、本実施形態では、合成繊維をバインダーで結合することによって得られた素材で塗布液誘導部材４が構成されている。
【００５１】
本実施形態においては、塗布液貯留部２に貯留されている塗布液１０が、塗布液誘導部材４の後端部４ｂのみならず、塗布液誘導部材４の側面にも接触しており、また塗布液誘導部材４が合成繊維をバインダーで結合することによって得られた素材で構成されているので、塗布液は塗布液誘導部材４に好適に含浸されることとなる。
【００５２】
本実施形態では、凹状の挿入孔１３に毛先３が嵌入されているので、毛先３が直接塗布液に接触しているわけではないが、毛先３を挿入孔１３に嵌入させている塗布液誘導部材４が、合成繊維をバインダーで結合することによって得られた素材で構成され、且つその塗布液誘導部材４が塗布液に接触していることで、塗布液誘導部材４には塗布液が含浸された状態となる。
【００５３】
そして、塗布液誘導部材４の挿入孔１３に毛先３が嵌入されて、その塗布液誘導部材４が毛先３に接触しているので、塗布液は、塗布液誘導部材４から毛先３に誘導されることとなる。
【００５４】
この場合において、毛先３は、その外周面が塗布液誘導部材４の挿入孔１３の内周面に接触するように、該挿入孔１３内に嵌合されているため、毛先の外周面は塗布液誘導部材４の挿入孔１３の内周面と面接触状態となり、それによって塗布液誘導部材４に含浸、保持された塗布液が、面接触状態とされた毛先３の外周面側から毛先３に供給されることとなるので、塗布液は塗布液誘導部材４側から毛先３側に確実に供給されることとなり、塗布媒体に良好な状態で塗布されることとなる。
【００５５】
その他の構成は、上記実施形態１と共通するため、その詳細な説明は省略する。
【００５６】
本実施形態においても、塗布液誘導部材４の挿入孔１３内に毛先３を嵌合して、毛先３の周辺部側から塗布液を毛先３に供給するので、従来の塗布具に設けられていた中継芯のように、毛先３のほぼ中心部分に装填するような取り付けが不要となり、その結果、毛先３の割れなどを生じさせるようなことがないのである。
【００５７】
（実施形態５）
本実施形態においては、図６に示すように、塗布液貯留部２内に中綿９が装填されており、この点で塗布液が直接塗布液貯留部２内に貯留されていた上記実施形態１、４と相違している。
【００５８】
すなわち、本実施形態では、繊維の集合体で構成した中綿９に塗布液を含浸させており、その中綿９に、塗布液誘導部材４の後端部４ｂを差し込むことによって、塗布液誘導部材４を塗布液の接触させている。塗布液誘導部材４の後端部４ｂは、中綿９に差し込み易いように、胴体部分よりも細く形成されている。
【００５９】
尚、中綿９の素材としては、たとえば天然繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ＰＰ系樹脂、ポリエーテル系樹脂、ポリフェニレン系樹脂等からなる繊維を使用して束ねたもの、或いはスポンジ等が用いられる。
【００６０】
塗布具が、塗布液貯留部２を備えた軸筒１、毛先３、塗布液誘導部材４を具備して構成されている点、軸筒１の先端部１ａ側の外周面５が緩やかなテーパ面状に形成されている点、軸筒１の先端部１ａ側の内周面６が塗布液誘導部材４の外周面と接触しうるように形成されている点、塗布液誘導部材４に凹状の挿入孔１３が形成され、その挿入孔１３内に毛先３が嵌合されている点、塗布液誘導部材４の全体が略円柱状に形成されている点、軸筒１の後端部１ｂ側に小孔８が穿設されている点等は実施形態４と同じである。
【００６１】
本実施形態では、上記実施形態１、４のように、塗布液誘導部材４が塗布液に直接接触しているのではないが、塗布液を含浸させた中綿９に塗布液誘導部材４の後端部４ｂを差し込むことによって、塗布液誘導部材４を中綿９に接触させているので、中綿９に含浸された塗布液が塗布液誘導部材４に誘導され、さらに塗布液誘導部材４から毛先３に誘導されることとなる。
【００６２】
この場合において、本実施形態においても、上記実施形態４と同様に、毛先３が塗布液誘導部材４の凹状の挿入孔１３内に嵌合され、毛先の外周面は塗布液誘導部材４の挿入孔１３の内周面と面接触状態となっているため、塗布液誘導部材４に含浸、保持された塗布液は、毛先３の周辺部側から毛先３に供給されることとなり、塗布液誘導部材４側から毛先３側に確実に供給されることとなるのである。
【００６３】
また本実施形態においても、塗布液誘導部材４の挿入孔１３内に毛先３を嵌合して、毛先３の周辺部側から塗布液を毛先３に供給するので、中継芯を毛先３のほぼ中心部分に装填するような取り付けが不要となり、毛先３の割れなどを生じさせるようなことがない。
【００６４】
（実施形態６）
本実施形態においては、塗布液誘導部材４が、気孔率が約３０％以上の焼結ポリエチレンで構成されており、この点で、合成繊維を集合させバインダーで結合させて塗布液誘導部材４が構成されていた実施形態４、５の場合と相違する。ただし、本実施形態においても、このような焼結ポリエチレンからなる塗布液誘導部材４に、好適に塗布液が含浸されることとなる。
【００６５】
また本実施形態では、図７に示すように、塗布液誘導部材４の外周面が、緩やかなテーパ面状に形成されており、この塗布液誘導部材４が軸筒１の先端部１ａ側の開口部１１に装着されている。すなわち、本実施形態では、軸筒１の先端部１ａが、上記実施形態１のように所定の厚さを有し、その内周面６に塗布液誘導部材４が挿入されて該軸筒１の先端部１ａで塗布液誘導部材４を保持しているという状態ではなく、全体が同程度の薄い円筒状に形成された軸筒１の開口部１１に塗布液誘導部材４が装着されて、塗布液誘導部材４自体が軸筒１の先端部を構成しているような形態とされている。
【００６６】
さらに、本実施形態では、上記実施形態４、５のような凹状の挿入孔１３ではなく、
実施形態１と同様に貫通された挿入孔１３が塗布液誘導部材４に形成されており、その挿入孔１３に毛先３が挿入されている。このように毛先３が挿入孔１３に挿入された状態において、毛先３の後端部３ｂは塗布液貯留部２内に臨出して塗布液１０に接触した状態となっている。また、塗布液誘導部材４の後端部側も塗布液１０に接触している。
【００６７】
さらに、本実施形態では、合成樹脂製フィルムからなる被膜１２が、塗布液誘導部材４及び軸筒１の外周面に被着されている。これは、本実施形態では、緩やかなテーパ面状に形成された塗布液誘導部材４の先端部側が把持される可能性があり、その塗布液誘導部材４に塗布液が含浸されて手に付着するおそれがあるので、これを防止するためである。この被膜１２は、本実施形態では塗布液誘導部材４から軸筒１に跨がって被着されているが、塗布液誘導部材４のみに被着することも可能であり、塗布液誘導部材４に被着されていれば、塗布液が手に付着するのを防止するという目的は一応達成される。
【００６８】
塗布具が、塗布液貯留部２を備えた軸筒１、毛先３、塗布液誘導部材４を具備して構成されている点、軸筒１の後端部１ｂ側に小孔８が穿設されている点等は実施形態１、４、５等と同じである。
【００６９】
本実施形態では、塗布液誘導部材４が塗布液に接触しているだけでなく、毛先３自体も塗布液に接触した状態とされている。従って、本実施形態では、塗布液誘導部材４側から塗布液が毛先３に誘導されるだけでなく、塗布液が直接毛先３に誘導されることにもなる。
【００７０】
本実施形態においては、塗布液誘導部材４に挿入孔１３が形成され、その挿入孔１３に毛先３が挿入されているので、毛先の外周面は塗布液誘導部材４の挿入孔１３の内周面と面接触状態となり、従って本実施形態においても、塗布液は毛先３の外周面側から毛先３に供給されることとなり、塗布液誘導部材４側から毛先３側に確実に供給されることとなる。
【００７１】
本実施形態においても、毛先３の周辺部側から塗布液が毛先３に供給され、また塗布液貯留部２の塗布液が毛先３に直接供給されるが、いずれにしても中継芯を毛先３のほぼ中心部分に装填するような取り付けが不要となるので、毛先３の割れなどを生じさせるようなことがないのである。
【００７２】
（実施形態７）
本実施形態においては、軸筒１に塗布液貯留部２が設けられておらず、別途準備された塗布液に毛先３が直接浸漬され、そのようにして毛先３に含浸された塗布液が塗布媒体に塗布されることとなる。また塗布液誘導部材４には挿入孔１３が形成され、その挿入孔１３に毛先３が挿入されており、毛先３の外周面が塗布液誘導部材４の挿入孔１３の内周面と面接触状態とされ、毛先３に含浸された塗布液が塗布液誘導部材４にも含浸される構造とされている。
【００７３】
このような構成からなる点で、塗布液貯留部２内の塗布液１０又は中綿９に塗布液誘導部材４が接触して、塗布液が自給式となるように構成されていた上記実施形態１乃至３の塗布具と相違している。また塗布液貯留部２が存在しないので、本実施形態では軸筒１が中実状とされ、この点で軸筒１が中空状に形成されていた上記実施形態１、４乃至６と相違する。
【００７４】
本実施形態では、図８に示すように、中実状の軸筒１の先端部１ａに凹部１４が形成され、その凹部１４内に塗布液誘導部材４が嵌合されて取り付けられている。また、この凹部１４に連通して該凹部１４よりも小径の凹部１５が形成されている。そして、この小径の凹部１５内に毛先３が嵌合されて取り付けられている。
【００７５】
本実施形態では、塗布液誘導部材４は、実施形態４、５と同様に、合成繊維をバインダーで結合させて構成されている。
【００７６】
本実施形態の塗布具は、上述のように塗布液自給式の塗布具ではないので、毛先３を、別途準備された塗布液に直接浸漬し、塗布媒体に塗布することによって使用される。この場合において、塗布液誘導部材４には上記のように挿入孔１３が形成され、その挿入孔１３に毛先３が挿入されて、毛先３の外周面が塗布液誘導部材４の挿入孔１３の内周面と面接触状態とされているため、毛先３に含浸された塗布液は塗布液誘導部材４にも含浸されることとなり、一定時間保持されることとなる。
【００７７】
従って、塗布液誘導部材４に保持された塗布液は、逆に塗布液誘導部材４側から毛先３側へ誘導されることとなり、そのように誘導された塗布液も、毛先３により塗布媒体に塗布されることとなる。
【００７８】
本実施形態では、上記実施形態６と同様に、塗布液誘導部材４に挿入孔１３が形成され、その挿入孔１３に毛先３が挿入されているので、毛先３の外周面は塗布液誘導部材４の挿入孔１３の内周面と面接触状態となる。従って、塗布液は毛先３の周辺部側から毛先３に供給されることとなり、塗布液誘導部材４側から毛先３側に確実に供給されることとなる。
【００７９】
このように、本実施形態では、毛先３に直接塗布液が接触して含浸される他、その毛先３側から塗布液誘導部材４側へ誘導された塗布液が、塗布液誘導部材４で一定時間保持され、逆に塗布液誘導部材４側から毛先３側へ誘導されることになるので、一般の直液式の塗布等に比べると、塗布媒体に良好な状態で塗布することができる。
【００８０】
また、塗布液誘導部材４が周辺部側から毛先に塗布液を供給することができるように構成されて中継芯が不要となるので、毛先を従来に比べて細く形成することができ、たとえば面相筆のように毛先の長い形式の書き味の筆記具であって、実際の面相筆に比べて毛先が短く細い筆ペンのような筆記具を提供することが可能となる。
【００８１】
（実施形態８）
本実施形態では、図９に示すように、塗布液誘導部材４に形成された挿入孔１３に毛先３が挿入されており、その状態で、毛先３の後端部３ｂは塗布液貯留部２内に臨出して塗布液１０に接触した状態とされ、さらに塗布液誘導部材４の後端部４ｂ側も塗布液１０に接触した状態とされている。この点で、上記実施形態６と共通している。
【００８２】
従って、本実施形態においても、実施形態６と同様に、塗布液誘導部材４が塗布液に接触しているだけでなく、毛先３自体も塗布液に接触しているので、塗布液誘導部材４側から塗布液が毛先３に誘導されるだけでなく、塗布液が直接毛先３に誘導されることにもなる。
【００８３】
ただし、本実施形態では、実施形態３のような合成樹脂製フィルムからなる被膜１２は設けられておらず、塗布液誘導部材４は、上記実施形態１、２と同様に、軸筒１の先端部に挿入されている。
【００８４】
（実施形態９）
本実施形態では、図１０に示すように、先軸と称されるアダプター１８が、軸筒１の先端側に圧入されて取り付けられている。アダプター１８の先端側はテーパ状に形成され、また塗布液誘導部材４の先端側もテーパ状に形成されている。このように形成されることによって、アダプター１８が、軸筒１の先端側に圧入される際に、塗布液誘導部材４が収縮し、それによって毛先３が固定されることになる。
【００８５】
また本実施形態においても、上記実施形態８と同様に、塗布液誘導部材４に形成された挿入孔１３に毛先３が挿入されているが、本実施形態では塗布液誘導部材４の下部に合成樹脂製の支持体１９が取り付けられ、その支持体１９の先端側に形成された凹部２０内に毛先３の後端部３ｂが取り付けられている。
【００８６】
従って、本実施形態では、毛先３は塗布液１０に直接接触してはおらず、実施形態１等と同様に、塗布液誘導部材４のみが塗布液１０と接触しているので、塗布液誘導部材４に含浸、保持された塗布液が、毛先３の外周面側から毛先３に供給されることとなるのである。
【００８７】
（その他の実施形態）
尚、塗布液誘導部材４の形状、構造、及び塗布液誘導部材４への毛先３の取付手段は上記実施形態に限定されるものではなく、要は、毛先３の周辺部側から毛先３へ塗布液が誘導されるように構成されていればよい。
【００８８】
また、塗布液誘導部材４の材質も、上記実施形態の、合成繊維をバインダーで結合させて構成したもの、焼結ポリエチレンのような焼結樹脂に限らず、たとえば発泡性合成樹脂で構成することも可能であり、さらにはこれ以外の素材、たとえばセラミックの発泡体、発泡金属、焼結金属多孔質体等で構成することも可能である。要は、塗布液を含浸することができ、毛先３側へ塗布液を誘導しうるような素材で構成されていればよいのである。
【００８９】
さらに、上記各実施形態において、塗布液誘導部材４の挿入孔１３の内周面を、図１１に示すように、わずかにテーパ状となるように形成することも可能である。毛先３の外周面は、もともとわずかにテーパ状となるように形成されているが、塗布液誘導部材４の挿入孔１３の内周面も同様に形成することによって、塗布液誘導部材４と毛先３との密着性がより良好となる利点がある。図１１では、塗布液誘導部材４の挿入孔１３の内周面と毛先３の外周面との間にわずかの隙間を図示しているが、実際には毛先３の外径と挿入孔１３の内径が適宜選定されることで、挿入後に毛先３の復元力によって、毛先３は挿入孔１３の内周面にわずかに圧接された状態となる。
【００９０】
さらに毛先３の材質も、上記実施形態のポリエチレンテレフタレートやポリブチレンテレフタレート等のポリエステル繊維、ポリアミド繊維等に限定されるものではなく、これ以外の合成繊維で構成することも可能であり、さらには、天然繊維で構成することも可能であり、毛先３の材質は問うものではない。
【００９１】
さらに、中綿９の材質も、上記実施形態の天然繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ＰＰ系樹脂、ポリエーテル系樹脂、ポリフェニレン系樹脂等からなる繊維を使用して束ねたもの、或いはスポンジ等に限定されるものではなく、これ以外のものを使用することも可能である。
【００９２】
さらに、塗布具の用途も、筆記具に限らず、化粧用具に使用することも可能である。
【図面の簡単な説明】
【００９３】
【図１】一実施形態としての塗布具の断面図。
【図２】図１のＡ−Ａ線断面図。
【図３】塗布液誘導部材と毛先との固定手段を示す他実施形態の断面図。
【図４】塗布液誘導部材と毛先との固定手段を示す他実施形態の断面図。
【図５】他実施形態の塗布具の断面図。
【図６】他実施形態の塗布具の断面図。
【図７】他実施形態の塗布具の断面図。
【図８】他実施形態の塗布具の断面図。
【図９】他実施形態の塗布具の断面図。
【図１０】他実施形態の塗布具の断面図。
【図１１】毛先を挿入孔に挿入した状態の断面図。
【符号の説明】
【００９４】
３  毛先
４  塗布液誘導部材
１３  挿入孔
１６  ストッパー
１７  塗布液誘導用孔
【図１】
2010052383.tif 000003
【図２】
2010052383.tif 000004
【図３】
2010052383.tif 000005
【図４】
2010052383.tif 000006
【図５】
2010052383.tif 000007
【図６】
2010052383.tif 000008
【図７】
2010052383.tif 000009
【図８】
2010052383.tif 000010
【図９】
2010052383.tif 000011
【図１０】
2010052383.tif 000012
【図１１】
2010052383.tif 000013
【手続補正書】
【提出日】平成20年12月16日(2008.12.16)
【手続補正１】
【補正対象書類名】特許請求の範囲
【補正対象項目名】全文
【補正方法】変更
【補正の内容】
【特許請求の範囲】
【請求項１】
塗布液を含浸可能で、該塗布液を塗布媒体に塗布可能な毛先（３）を有する塗布具において、前記毛先（３）の外周面側から該毛先（３）に塗布液を誘導することができる合成樹脂製成形体で構成された塗布液誘導部材（４）が具備され、該塗布液誘導部材（４）には、毛先（３）を挿入するための挿入孔（１３）が先端側の開口部（１３ａ）と後端側の開口部（１３ｂ）とに貫通して形成され、前記挿入孔（１３）側へ毛細管現象によって塗布液を誘導しうるような塗布液誘導用孔（１７）が、前記挿入孔（１３）に連通して塗布液誘導部材（４）に形成され、しかも前記挿入孔（１３）及び塗布液誘導用孔（１７）は、塗布液誘導部材（４）の先端側の開口部（１３ａ）から後端側の開口部（１３ｂ）にかけて連続的に形成されていることを特徴とする塗布具。
【請求項２】
挿入孔（１３）及び塗布液誘導用孔（１７）が、塗布液誘導部材（４）の断面において同一形状となるように、先端側の開口部（１３ａ）から後端側の開口部（１３ｂ）にかけて連続的に形成されている請求項１記載の塗布具。
【請求項３】
塗布液誘導用孔（１７）が、挿入孔（１３）を中心として該挿入孔（１３）から外側に向かって放射状に形成された複数の細孔によって構成されている請求項１又は２記載の塗布具。
【手続補正２】
【補正対象書類名】明細書
【補正対象項目名】００１０
【補正方法】変更
【補正の内容】
【００１０】
塗布液誘導部材４には、毛先３を挿入するための挿入孔１３が形成される。塗布液誘導部材４の挿入孔１３は、毛先３の先端部３ａを突出させる先端側の開口部１３ａと、該毛先３の後端部３ｂが塗布液と接触しうるように開口して形成された後端側の開口部１３ｂとに貫通して形成される。また、毛先３の後端部３ｂ側には、好ましくは、塗布液誘導部材４の後端面側に係止可能となるように、該塗布液誘導部材４の後端部４ｂ側の開口部１３ｂより幅広なストッパー１６が形成される。
【手続補正３】
【補正対象書類名】明細書
【補正対象項目名】００１１
【補正方法】変更
【補正の内容】
【００１１】
さらに、塗布液誘導部材４には、挿入孔１３側へ毛細管現象によって塗布液を誘導しうるような塗布液誘導用孔１７が、前記挿入孔１３に連通して形成される。この塗布液誘導用孔１７は、たとえば挿入孔１３を中心として該挿入孔１３から外側に向かって放射状に形成された複数の細孔によって構成される。このような挿入孔１３に塗布液誘導用孔１７が連通して形成された塗布液誘導部材４は、合成樹脂製成形体で構成される。
【手続補正４】
【補正対象書類名】明細書
【補正対象項目名】００１２
【補正方法】削除
【補正の内容】
【手続補正５】
【補正対象書類名】明細書
【補正対象項目名】００１６
【補正方法】変更
【補正の内容】
【００１６】
さらに、塗布液誘導部材に、毛先を挿入するための挿入孔を形成し、その挿入孔側へ毛細管現象によって塗布液を誘導しうるような塗布液誘導用孔を、前記挿入孔に連通して形成したので、塗布液が、塗布液誘導部材の塗布液誘導用孔において毛細管現象によって誘導され、さらにその塗布液誘導用孔から挿入孔に誘導されることとなり、その結果、毛細管現象によって塗布液誘導用孔を誘導されてきた塗布液が、挿入孔内に挿入された毛先に含浸されることとなる。従って、塗布液誘導部材から毛先側への塗布液の誘導が確実に行われるという効果がある。
【手続補正６】
【補正対象書類名】明細書
【補正対象項目名】００１８
【補正方法】変更
【補正の内容】
【００１８】
さらに、このような挿入孔に塗布液誘導用孔が連通して形成された塗布液誘導部材を、合成樹脂製成形体で構成したので、塗布液誘導用孔が、毛細管現象を生じさせるような複雑な形状のものであっても、塗布液誘導部材の製造を容易に行うことができる。
【手続補正７】
【補正対象書類名】明細書
【補正対象項目名】００８８
【補正方法】削除
【補正の内容】